(57)【要約】【課題】画像形成装置に接続された付加装置の中から付加装置を選択することができる画像形成装置を提供する。【解決手段】画像形成装置であって、前記画像形成装置に接続可能な付加装置の種別の組み合わせに応じて選択される付加装置を定義した情報を含む選択情報を取得する選択情報取得手段と、前記画像形成装置に接続された前記付加装置である接続付加装置の種別の組み合わせに応じた接続付加装置を選択する選択手段と、を備える。【選択図】図２
2015140009.tif 000002
【特許請求の範囲】
【請求項１】
画像形成装置であって、
前記画像形成装置に接続可能な付加装置の種別の組み合わせに応じて選択される付加装置を定義した情報を含む選択情報を取得する選択情報取得手段と、
前記画像形成装置に接続された前記付加装置である接続付加装置の種別の組み合わせに応じた接続付加装置を選択する選択手段と、
を備えることを特徴とした画像形成装置。
【請求項２】
前記画像形成装置に接続可能な付加装置の設定値の情報である設定情報を取得する設定情報取得手段と、
前記設定情報に基づいて、前記選択された接続付加装置の設定値を設定する設定手段と、
を更に備えることを特徴とした請求項１に記載の画像形成装置。
【請求項３】
前記選択情報は、前記画像形成装置に接続可能な付加装置の種別の組み合わせに応じて選択される、画像が形成された媒体の排出先を定義した情報を更に含み、
前記選択手段は、前記接続付加装置の組み合わせに応じた排出先を更に選択する、
ことを特徴とした請求項１または２に記載の画像形成装置。
【請求項４】
前記選択手段は、前記接続付加装置の種別の組み合わせが変更された場合に、変更後の前記接続付加装置の種別の組み合わせに応じた接続付加装置を選択し、
変更後の前記選択された接続付加装置の設定情報を要求する要求手段を更に備える、
ことを特徴とした請求項２に記載の画像形成装置。
【請求項５】
画像形成装置に接続可能な付加装置の種別の組み合わせに応じて選択される付加装置を定義した情報を含む選択情報を取得する選択情報取得手段、および、
前記画像形成装置に接続された前記付加装置である接続付加装置の種別の組み合わせに応じた接続付加装置を選択する選択手段、
としてコンピュータを機能させることを特徴としたプログラム。
【請求項６】
少なくとも１つの画像形成装置とサーバとを含み、
前記サーバは、
前記画像形成装置に接続可能な付加装置の設定値の情報である設定情報を保持する設定情報保持手段を備え、
前記画像形成装置は、
前記画像形成装置に接続可能な付加装置の種別の組み合わせに応じて選択される付加装置を定義した情報を含む選択情報を取得する選択情報取得手段と、
前記画像形成装置に接続された前記付加装置である接続付加装置の種別を表す種別情報を取得する種別情報取得手段と、
前記選択情報と前記種別情報とに基づいて、前記接続付加装置の種別の組み合わせに応じた接続付加装置を選択する選択手段と、
前記設定情報を前記サーバから取得する設定情報取得手段と、
前記設定情報に基づいて、前記選択された接続付加装置の設定値を設定する設定手段と、
を備える、
ことを特徴とした画像形成システム。
【発明の詳細な説明】
【技術分野】
【０００１】
本発明は、画像形成装置、画像形成システム、及びプログラムに関する。
【背景技術】
【０００２】
下記特許文献１には、複数の画像形成装置を一括で設定するために合成された設定情報と、画像形成装置の機種毎の設定値の条件を定義した情報とを用いて、画像形成装置の機種に合わせた設定値を生成して管理する設定値管理装置に関する技術が開示されている。
【０００３】
下記特許文献２には、画像形成装置の設定値を設定値管理装置が管理する画像形成装置であって、特定の条件が生じた場合に、当該条件に応じた設定値を設定値管理装置に要求し、取得した設定値を利用する画像形成装置に関する技術が開示されている。
【０００４】
下記特許文献３には、画像形成装置と、当該画像形成装置の設定値を管理する設定値管理装置とが、それぞれ保持する画像形成装置の設定値を更新する設定値管理システムに関する技術が開示されている。
【先行技術文献】
【特許文献】
【０００５】
【特許文献１】特開２０１２−２５０３７０号公報
【特許文献２】特開２０１３−００９２７９号公報
【特許文献３】特開２０１３−００１０４４号公報
【発明の概要】
【発明が解決しようとする課題】
【０００６】
本発明の目的の１つは、画像形成装置に接続された付加装置の種別の組み合わせに応じた付加装置を選択することができる画像処理装置を提供することである。
【課題を解決するための手段】
【０００７】
請求項１に記載の画像形成装置は、前記画像形成装置に接続可能な付加装置の種別の組み合わせに応じて選択される付加装置を定義した情報を含む選択情報を取得する選択情報取得手段と、前記画像形成装置に接続された前記付加装置である接続付加装置の種別の組み合わせに応じた接続付加装置を選択する選択手段と、を備えることを特徴とする。
【０００８】
請求項２に記載の画像形成装置は、請求項１に記載の画像形成装置において、前記画像形成装置に接続可能な付加装置の設定値の情報である設定情報を取得する設定情報取得手段と、前記設定情報に基づいて、前記選択された接続付加装置の設定値を設定する設定手段と、を更に備えることを特徴とする。
【０００９】
請求項３に記載の画像形成装置は、請求項１又は２に記載の画像形成装置において、前記選択情報は、前記画像形成装置に接続可能な付加装置の種別の組み合わせに応じて選択される、画像が形成された媒体の排出先を定義した情報を更に含み、前記選択手段は、前記接続付加装置の組み合わせに応じた排出先を更に選択することを特徴とする。
【００１０】
請求項４に記載の画像形成装置は、請求項２に記載の画像形成装置において、前記選択手段は、前記接続付加装置の種別の組み合わせが変更された場合に、変更後の前記接続付加装置の種別の組み合わせに応じた接続付加装置を選択し、変更後の前記選択された接続付加装置の設定情報を要求する要求手段を更に備えることを特徴とする。
【００１１】
請求項５に記載のプログラムは、画像形成装置に接続可能な付加装置の種別の組み合わせに応じて選択される付加装置を定義した情報を含む選択情報を取得する選択情報取得手段、および前記画像形成装置に接続された前記付加装置である接続付加装置の種別の組み合わせに応じた接続付加装置を選択する選択手段、としてコンピュータを機能させることを特徴とする。
【００１２】
請求項６に記載の画像形成システムは、少なくとも１つの画像形成装置とサーバとを含み、前記サーバは、前記画像形成装置に接続可能な付加装置の設定値の情報である設定情報を保持する設定情報保持手段を備え、前記画像形成装置は、前記画像形成装置に接続可能な付加装置の種別の組み合わせに応じて選択される付加装置を定義した情報を含む選択情報を取得する選択情報取得手段と、前記画像形成装置に接続された前記付加装置である接続付加装置の種別を表す種別情報を取得する種別情報取得手段と、前記選択情報と前記種別情報とに基づいて、前記接続付加装置の種別の組み合わせに応じた接続付加装置を選択する選択手段と、前記設定情報を前記サーバから取得する設定情報取得手段と、前記設定情報に基づいて、前記選択された接続付加装置の設定値を設定する設定手段と、を備えることを特徴とする。
【発明の効果】
【００１３】
請求項１または５に記載の発明によれば、画像形成装置に接続された付加装置の種別の組み合わせに応じた付加装置を選択することができる。
【００１４】
請求項２または６に記載の発明によれば、選択された付加装置の設定値を設定することがでる。
【００１５】
請求項３に記載の発明によれば、画像が形成された媒体を排出する排出先を選択することができる。
【００１６】
請求項４に記載の発明によれば、画像形成装置に接続された付加装置が変更された際に、変更後の選択された付加装置の設定値を設定することができる。
【図面の簡単な説明】
【００１７】
【図１】本発明に係る画像形成システムの構成の一例を示す図である。
【図２】画像形成装置のハードウェア構成の一例を示す図である。
【図３】画像形成装置により実現される機能の一例を示す図である。
【図４】設定情報の一例を示す図である。
【図５】選択情報の一例を示す図である。
【図６】画像形成装置の設定結果の一例を示す図である。
【図７】画像形成装置の処理のフローの一例を示す図である。
【図８】画像形成装置の処理のフローの一例を示す図である。
【図９】画像形成装置の設定結果の一例を示す図である。
【図１０】画像形成装置の処理のフローの一例を示す図である。
【図１１】画像形成装置の設定結果の一例を示す図である。
【発明を実施するための形態】
【００１８】
以下、本発明の実施形態について、図面を参照しつつ説明する。尚、図面については、同一または同等の要素には同一の符号を付し、重複する説明は省略する。
【００１９】
［第１の実施形態］
図１は、本発明の実施形態に係る画像形成システムの構成の概要について説明するための図である。画像形成システム１００は、少なくとも１つの画像形成装置１１０、サーバ１２０、端末１３０、及び付加装置１４０を含む。画像形成装置１１０、サーバ１２０、及び端末１３０はそれぞれネットワークを介して接続されている。付加装置１４０は、画像形成装置１１０に接続されている。図１は、一例として、種別Ａの付加装置１４０Ａ、種別Ｂの付加装置１４０Ｂ、及び種別Ｃの付加装置１４０Ｃがあり、種別Ａの付加装置１４０Ａが画像形成装置１１０Ｘに接続され、種別Ｂの付加装置１４０Ｂが画像形成装置１１０Ｙに接続され、種別Ｂの付加装置１４０Ｂ及び種別Ｃの付加装置１４０Ｃの両方が画像形成装置１１０Ｚに接続される場合を示している。尚、本発明における画像形成システム１００に含まれる画像形成装置１１０及び付加装置１４０の種別、数、又はその組み合わせはこれに限定されることなく、図１に示すものと異なるものであってもよい。
【００２０】
画像形成装置１１０は、例えば、記録媒体である紙等に画像を形成するレーザプリンタである。
【００２１】
付加装置１４０は、例えば、画像形成装置１１０によって画像が形成された記録媒体である紙等に後処理を施して排出する機能を備えた後処理装置である。本実施形態においては、種別Ａの付加装置１４０Ａは、例えば、画像が形成された紙をオフセットしながら区分けして蓄積するといった後処理を施し、紙の排出トレイとして排出先Ａ１を備える大容量スタッカーと呼ばれる後処理装置であるとする。また、種別Ｂの付加装置１４０Ｂは、例えば、ステープル、パンチ、紙折り、製本といった後処理を施し、紙の排出トレイとして排出先Ｂ１、排出先Ｂ２、及び排出先Ｂ３を備える中とじフィニッシャーと呼ばれる後処理装置であるとする。また、種別Ｃの付加装置１４０Ｃは、例えば、製本及び製本後に断裁を施すといった後処理を施し、紙の排出トレイとして排出先Ｃ１を備えるくるみ製本フィニッシャーと呼ばれる後処理装置であるとする。
【００２２】
端末１３０は、画像形成システム１００内の画像形成装置１１０又は付加装置１４０の設定値を送信するための情報端末であり、例えばＰＣ等である。
【００２３】
サーバ１２０は、端末１３０から送信された画像形成装置１１０又は付加装置１４０の設定値を取得して保持し、ネットワークを介して各画像形成装置１１０に送信する装置である。
【００２４】
次に画像形成装置１１０について詳細に説明する。図２は、画像形成装置１１０のハードウェア構成の一例を示す図である。画像形成装置１１０は、例えば、制御部１１１、記憶部１１２、通信部１１３、プリンタ部１１４、入力部１１５、及び接続部１１６を含む。
【００２５】
制御部１１１は、ＣＰＵ等であって、記憶部１１２に格納されたプログラムに従って動作し、画像形成装置１１０が行う各処理を実行する。記憶部１１２は、例えば、ＲＡＭ、ＲＯＭ、ＮＶＲＡＭやハードディスク等の情報記録媒体で構成され、制御部１１１によって実行されるプログラムを保持する情報記録媒体である。通信部１１３は、ネットワークインターフェイスであって、ネットワークを介して情報を送受信する。プリンタ部１１４は、例えば、電子写真方式等により紙等の記録媒体に画像を形成する。入力部は、ユーザの指示を受け付けるユーザインターフェイスであって、例えば、キーボードやボタン等で構成される。接続部１１６は、付加装置１４０を接続するためのハードウェアインターフェイスであって、画像形成装置１１０と付加装置１４０との間の情報通信を行うために付加装置１４０の接続部（不図示）と相互に接続される。尚、上記制御部１１１で処理されるプログラムは、例えば、光ディスク、磁気ディスク、磁気テープ、光磁気ディスク、フラッシュメモリ等のコンピュータ可読な情報記憶媒体を介して提供されてもよいし、又は、インターネット等の通信手段を介して提供されてもよい。
【００２６】
次に、画像形成装置１１０により実現される機能について説明する。図３は、画像形成装置１１０により実現される機能の一例を示す図である。図３に示すように、画像形成装置１１０は、機能的には、例えば、設定情報取得部３０１と、種別情報取得部３０２と、選択情報取得部３０３と、選択部３０４と、設定値設定部３０５と、設定情報要求部３０６とを含む。
【００２７】
以下においては、図２に示すように、画像形成装置１１０に種別Ｂの付加装置１４０Ｂ及び種別Ｃの付加装置１４０Ｃが接続されている場合を例に説明する。
【００２８】
設定情報取得部３０１は、画像形成装置１１０又は付加装置１４０を設定するために端末１３０から送信され、サーバ１２０に保存された設定情報をサーバ１２０から取得する。ここで、設定情報とは、画像形成システム１００に含まれる画像形成装置１１０及び付加装置１４０の設定値を含むように合成された情報である。図４は、設定情報の一例を示す図である。図４に示す通り、設定情報４０１は、画像形成装置１１０の本体の設定項目に対する設定値、種別Ａの付加装置１４０Ａの設定項目に対する設定値、種別Ｂの付加装置１４０Ｂの設定項目に対する設定値、及び種別Ｃの付加装置１４０Ｃの設定項目に対する設定値を含んでいる。
【００２９】
設定情報４０１の本体の設定項目は、画像形成装置１１０本体の機種が異なる場合でも共通する設定項目であり、例えば、色、倍率、用紙、印刷面、割付けといった項目がある。また、設定情報４０１の付加装置の設定項目は、それぞれの付加装置１４０の機能に対応するように付加装置別に指定されている。尚、設定情報４０１で指定される設定値は、画像形成装置１１０及び付加装置１４０を使用する使用者が、別の設定値を特に指定しなかったときに適用される、所謂初期設定値である。また、設定情報４０１は、画像形成システム１００が含む画像形成装置１１０及び付加装置１４０の全ての機種の設定値を含むように合成されていてもよいし、一部の機種の設定値を含むように合成されていてもよい。また、設定情報４０１は、画像形成装置１１０のみ或いは付加装置１４０のみの設定値を含むように合成されていてもよい。
【００３０】
種別情報取得部３０２は、画像形成装置１１０に接続された付加装置１４０の種別を表す種別情報を接続部１１６を介して付加装置１４０から取得する。ここで、種別情報とは、具体的には、機種コード等であって、付加装置１４０の機種を一意に識別する情報である。種別情報は、例えば、付加装置１４０が有する記憶部（不図示）に記憶されている。
【００３１】
選択情報取得部３０３は、選択情報を取得する。ここで、選択情報とは、画像形成装置１１０に接続された付加装置１４０の種別の組み合わせに応じて選択される付加装置１４０の種別及び排出先を定義した情報である。図５は、選択情報の一例を示す図である。選択情報５０１は、例えば、図５に示す通り、接続された付加装置１４０に応じて記録媒体が排出される付加装置１４０、及び記録媒体が排出される付加装置１４０の排出先を定義している。選択情報５０１は画像形成装置１１０が有する記憶部１１２に記憶されている。
【００３２】
選択部３０４は、種別情報取得部３０２が取得した種別情報をもとに選択情報５０１を参照し、画像形成装置１１０に接続された付加装置１４０の種別の組み合わせに応じた付加装置１４０、及び付加装置１４０の排出先を選択する。例えば、取得された付加装置１４０の種別がＢ及びＣである場合、記録媒体が排出される付加装置として種別Ｃの付加装置１４０Ｃが選択され、記録媒体が排出される排出先として排出先Ｃ１が選択される。
【００３３】
設定値設定部３０５は、設定情報４０１に指定された設定値に基づいて、画像形成装置１１０及び選択された付加装置１４０を設定する。図６は、種別Ｂの付加装置１４０Ｂ及び種別Ｃの付加装置１４０Ｃが接続された画像形成装置１１０で行われた設定値の設定結果を示す図である。図６に示す通り、画像形成装置１１０の本体の設定に該当する項目である色、倍率、用紙、印刷面、及び割付けに対して、設定情報４０１の同項目の設定値が適用され、それぞれ、カラー、１００％、Ａ４、両面、及び２ｉｎ１と設定され、選択された種別Ｃの付加装置１４０Ｃの設定に該当する項目である製本時断裁箇所に対して、同様に三方断裁と設定される。また、排出先として、選択部３０４で選択された排出先Ｃ１が設定される。
【００３４】
設定情報要求部３０６は、画像形成装置１１０又は付加装置１４０の設定値が必要になった場合に、当該設定値をサーバ１２０に要求する。具体例については、第３の実施形態にて説明する。
【００３５】
次に、本実施形態における画像形成装置１１０の処理のフローの概要について説明する。図７は、本実施形態における画像形成装置１１０の処理のフローの一例を示す図である。具体的には、図７は、画像形成装置１１０が、設定情報４０１を取得してから画像形成装置１１０及び付加装置１４０の設定を終了するまでの処理のフローの一例を示す。
【００３６】
図７に示すように、設定情報取得部３０１は、端末１３０から送信された設定情報４０１をサーバ１２０から取得する（Ｓ７０１）。種別情報取得部３０２は、画像形成装置１１０に接続された付加装置１４０の種別情報を取得し（Ｓ７０２）、選択情報取得部３０３は選択情報５０１を取得する（Ｓ７０３）。選択部３０４は、種別情報と選択情報５０１とに基づいて、画像形成装置１１０に接続された付加装置１４０の種別の組み合わせに応じた付加装置１４０を選択する（Ｓ７０４）。更に、選択部３０４は、Ｓ７０４で選択された付加装置１４０の排出先の中から排出先を選択する（Ｓ７０５）。
【００３７】
設定値設定部３０５は、設定情報４０１の設定項目を順次読み出し（Ｓ７０６）、読み出した設定項目が画像形成装置１１０の本体の設定項目であるか、付加装置１４０の設定項目であるかを判定する（Ｓ７０７）。当該設定項目が画像形成装置１１０の本体の設定項目である場合（Ｓ７０７：Ｎ）、設定値設定部３０５は、当該設定項目の設定値を画像形成装置１１０の本体に設定する（Ｓ７０８）。
【００３８】
当該設定項目が付加装置１４０の設定項目である場合（Ｓ７０７：Ｙ）、設定値設定部３０５は、当該設定項目が、画像形成装置１１０に接続された付加装置１４０の設定項目であるか否かを判定する（Ｓ７０９）。当該設定項目が、画像形成装置１１０に接続された付加装置１４０の設定項目である場合（Ｓ７０９：Ｙ）、設定値設定部３０５は、当該設定項目が、Ｓ７０４において選択された付加装置の設定項目であるかを判定する（Ｓ７１０）。当該設定項目が、Ｓ７０４で選択された付加装置１４０の設定項目である場合（Ｓ７１０：Ｙ）、設定値設定部３０５は、当該設定項目に指定された設定値をＳ７０４で選択された付加装置１４０に設定する（Ｓ７１１）。更に、設定値設定部３０５は、Ｓ７０５で選択された排出先１４１に関する設定値を設定する（Ｓ７１２）。
【００３９】
Ｓ７０８に示す処理が終了した場合、Ｓ７１２に示す処理が終了した場合、当該設定項目が接続された付加装置の設定項目でない場合（Ｓ７０９：Ｎ）、又は、当該設定項目が選択された付加装置１４０の設定項目でない場合（Ｓ７１０：Ｎ）、設定値設定部３０５は、設定情報４０１の設定項目の読み出しが全て終了したかを判定する（Ｓ７１３）。次の設定項目がある場合（Ｓ７１３：Ｎ）、Ｓ７０６に示す処理が行われる。全ての設定項目の読み出しが終了した場合（Ｓ７１３：Ｙ）、処理が終了される。
【００４０】
本実施形態に係る画像形成装置１１０によれば、接続された付加装置１４０の組み合わせに応じた、記録媒体が排出される付加装置１４０、及び付加装置１４０の排出先が選択され設定される。よって、接続された付加装置１４０がそれぞれ排出先を備えたり、１つの付加装置１４０が複数の排出先を備える場合であっても、そのいずれかを選んで設定するとういう手間が省ける。また、付加装置１４０の組み合わせに依存して決定される設定値を設定するために、異なる付加装置１４０が接続された画像形成装置１１０に対して個別に設定を行うという手間が省ける。
【００４１】
［第２の実施形態］
第１の実施形態では、画像形成装置１１０に接続された付加装置１４０のうち、選択された付加装置１４０の設定値を設定する場合について説明した。本実施形態では、画像形成装置１１０に接続された全ての付加装置１４０及び選択された排出先の設定値を設定する場合について説明する。本実施形態に係る画像形成システムにおける機器構成は第１の実施形態と同じ構成であるため、各構成の説明については省略し、画像形成装置１１０が行う処理のフローについて、フローチャートを用いて説明する。また、第１の実施形態における場合と同様に、画像形成装置１１０には、種別Ｂの付加装置１４０Ｂ及び種別Ｃの付加装置１４０Ｃが接続されている場合を例に説明する。
【００４２】
図８は、第２の実施形態における画像形成装置１１０の処理のフローの一例を示す図である。Ｓ８０１乃至Ｓ８０９における処理は、第１の実施形態のＳ７０１乃至Ｓ７０９における処理と同一であるため説明を省略する。
【００４３】
Ｓ８０６に示す処理で読み出した設定項目が、接続された付加装置の設定項目である場合（Ｓ８０９：Ｙ）、設定値設定部３０５は、当該設定項目に指定された設定値を当該設定項目の該当する付加装置１４０に設定する（Ｓ８１０）。そして、設定値設定部３０５は、当該設定項目がＳ８０４で選択された付加装置の設定項目であるかを判定する（Ｓ８１１）。当該設定項目がＳ８０４で選択された付加装置の設定項目である場合（Ｓ８１１：Ｙ）、設定値設定部３０５は、Ｓ８０５で選択された排出先に関する設定値を設定をする（Ｓ８１２）。
【００４４】
Ｓ８０８に示す処理が終了した場合、Ｓ８１２に示す処理が終了した場合、当該設定項目が接続された付加装置の設定項目でない場合（Ｓ８０９：Ｎ）、又は、当該設定項目が選択された付加装置１４０の設定項目でない場合（Ｓ８１１：Ｎ）、設定値設定部３０５は、設定情報４０１の設定項目の読み出しが全て終了したかを判定する（Ｓ８１３）。次の設定項目がある場合（Ｓ８１３：Ｎ）、Ｓ８０６に示す処理が行われる。全ての設定項目の読み出しが終了した場合（Ｓ８１３：Ｙ）、処理が終了される。
【００４５】
図９は、以上の処理によって設定された設定結果を示す図である。図９に示す通り、画像形成装置１１０の本体の設定に該当する項目である色、倍率、用紙、印刷面、及び割付けに対して、設定情報４０１の同項目の設定値が適用され、それぞれ、カラー、１００％、Ａ４、両面、及び２ｉｎ１と設定され、種別Ｂの付加装置１４０Ｂの設定に該当する項目であるステープル、パンチ、紙折り、製本に対して、同様にそれぞれ左上、２穴、三つ折り、中綴じと設定され、種別Ｃの付加装置１４０Ｃの設定に該当する項目である製本時断裁箇所に対して、同様に三方断裁と設定される。また、排出先として、選択部３０４で選択された排出先Ｃ１が設定される。
【００４６】
［第３の実施形態］
第１及び第２の実施形態では、設定情報４０１の取得に起因して画像形成装置１１０が設定値を設定する態様について説明した。本実施形態では、設定値が設定された後に接続された付加装置１４０が変更された場合に、画像形成装置１１０が変更後の付加装置１４０に基づいて選択された付加装置１４０の設定値を設定する態様について説明する。本実施形態に係る画像形成システムにおける機器構成は第１及び第２の実施形態と同じ構成であるため、各構成の説明については省略し、画像形成装置１１０が行う処理のフローについて、フローチャートを用いて説明する。
【００４７】
尚、画像形成装置１１０に接続された付加装置１４０は、第１及び第２の実施形態と同様の状態、即ち、種別Ｂの付加装置１４０Ｂ及び種別Ｃの付加装置１４０Ｃが接続されている状態から、種別Ｃの付加装置１４０Ｃが取り外され、種別Ｂの付加装置１４０Ｂのみが接続されている状態へと変更された場合を例に説明する。
【００４８】
図１０は、画像形成装置１１０に接続された付加装置１４０が変更された際に、画像形成装置１１０が変更後の付加装置１４０に基づいて選択された付加装置１４０の設定値を設定する処理のフローの一例を示す図である。画像形成装置１１０は、種別情報取得部３０２が新たに取得した種別情報が更新されていることにより接続された付加装置１４０が変更されたことを検知すると（Ｓ１００１）、選択情報取得部３０３は、選択情報５０１を取得する（Ｓ１００２）。選択部３０４は、当該新たに取得した種別情報と選択情報５０１とに基づいて、付加装置１４０の種別の新たな組み合わせに応じた付加装置１４０を選択する（Ｓ１００３）。更に、選択部３０４は、付加装置１４０の種別の新たな組み合わせに応じて選択される排出先を選択する（Ｓ１００４）。
【００４９】
設定値要求部３０６は、選択された付加装置１４０及び排出先の設定値を新たに取得が必要か否かを判定する（Ｓ１００５）。選択された付加装置１４０及び排出先の設定値を新たに取得が必要である場合（Ｓ１００５：Ｙ）、設定値要求部３０６は、当該設定値をサーバ１２０に要求する（Ｓ１００６）。例えば、変更前後における選択された付加装置１４０及び排出先が同じである場合等、新たに設定値の取得が必要でない場合（Ｓ１００５：Ｎ）、Ｓ１００６に示す処理は省略される。
【００５０】
設定値設定部３０５は、選択された付加装置１４０の設定値を設定する（Ｓ１００７）。更に、設定値設定部３０５は、Ｓ１００４で選択された排出先に関する設定値を設定する（Ｓ１００９）。Ｓ１００９に示す処理が終了した場合、処理が終了される。
【００５１】
種別Ｂの付加装置１４０Ｂのみが画像形成装置１１０に接続されている場合、選択情報５０１に基づいて種別Ｂの付加装置１４０Ｂ及び排出先Ｂ３が選択される。図１１は、以上の処理によって設定された設定結果を示す図である。図１１に示す通り、接続された付加装置１４０の変更後において選択された種別Ｂの付加装置１４０Ｂ及び排出先Ｂ３に関する設定値が設定される。
【００５２】
本発明は、上記実施の形態に限定されるものではなく、上記実施の形態で示した構成と実質的に同一の構成、同一の作用効果を奏する構成又は同一の目的を達成することができる構成で置き換えてもよい。例えば、上記画像形成装置１１０の機能的構成や上記処理のフローは一例であって、本発明はこれに限定されるものではない。
【００５３】
例えば、取得した設定情報４０１は、例えば、画像形成装置１１０の記憶部１１２に保持されることとしてもよい。その場合、接続された付加装置１４０が変更された場合においても、サーバ１２０に設定情報４０１を要求することなく、即ち、ネットワークの接続が切断されていたとしても、変更後に選択された付加装置１４０の設定値が設定される。
【００５４】
また、例えば、選択情報４０１は、設定情報５０１と同様にサーバ１２０から取得されるとしてもよい。
【符号の説明】
【００５５】
１００  画像形成システム、１１０  画像形成装置、１１１  制御部、１１２  記憶部、１１３  通信部、１１４  プリンタ部、１１５  入力部、１１６  接続部、１２０  サーバ、１３０  端末、１４０  付加装置、Ａ１、Ｂ１、Ｂ２、Ｂ３、Ｃ１  排出先、３０１  設定情報取得部、３０２  種別情報取得部、３０３  選択情報取得部、３０４  選択部、３０５  設定値設定部、３０６  設定情報要求部、４０１  設定情報、５０１  選択情報。
【図１】
2015140009.tif 000003
【図２】
2015140009.tif 000004
【図３】
2015140009.tif 000005
【図４】
2015140009.tif 000006
【図５】
2015140009.tif 000007
【図６】
2015140009.tif 000008
【図７】
2015140009.tif 000009
【図８】
2015140009.tif 000010
【図９】
2015140009.tif 000011
【図１０】
2015140009.tif 000012
【図１１】
2015140009.tif 000013